(57)【要約】【課題】短時間に救命用の通路空間を確保すること。【解決手段】救助方法では、倒壊物１０に通路空間１２を形成したい個所が選ばれ、空間１２を形成した個所の近傍に扁平な板状拡張体１４が設置される。拡張体１４の設置個所は、倒壊物１０の間に存在する隙間１６であり、隙間１６に板状拡張体１４を挿入する。拡張体１４が隙間１６に設置されると、板状拡張体１４に水Ｗを注入して、拡張体１４を膨張拡大させる。拡張体１４が拡大膨張されると、その上部側の倒壊物１０がこれに伴って、上方に押し上げられ、押し上げられた倒壊物１０の下方に救命用の通路空間１２が形成され、通路空間１２が形成されると、この空間１２から人を救助することができる。【選択図】  図３
2004329421.tif 000002
【特許請求の範囲】
【請求項１】
大規模地震時などで鉄筋コンクリート製などの建築構造物が倒壊した際に、人が倒壊物中に取り残されたり、あるいは、倒壊物の下敷きになったときの人命救助方法において、
前記倒壊物の隙間に、扁平な板状拡張体を挿入し、前記拡張体内に水など流動体を注入して、前記拡張体の厚みを膨張拡大させて、前記倒壊物の隙間を拡大させることを特徴とする建築構造物の倒壊現場での人命救助方法。
【請求項２】
前記板状拡張体は、２枚の同一形状の薄い鉄板を重ね合わせて、その周縁を相互に固設して、前記鉄板間に薄い空間を形成し、前記鉄板の端部に、前記空間に連通する流体注入口を設けることを特徴とする請求項１記載の建築構造物の倒壊現場での人命救助方法。
【請求項３】
前記流動体は、可搬型のタンク内に収納された水であって、この水を前記タンクに敷設されたポンプを介して、前記板状拡張体に注入することを特徴とする請求項１または２記載の建築構造物の倒壊現場での人命救助方法。
【発明の詳細な説明】
【０００１】
【発明の属する技術分野】
この発明は、大規地震などで建築構造物が倒壊した際の人命救助方法に関するものである。
【０００２】
【従来の技術】
大規模地震が発生した場合には、鉄筋コンクリート製の中層ビルなどの建築構造物の倒壊が起こり、倒壊物中に人が取り残されたり、あるいは、人が倒壊物の下敷きになるなどの事故がおき場合がある。このような事故が発生した際の人命救助方法は、公知文献の確認はしていないが、通常、人力により倒壊物を除去することで対処している。
【０００３】
しかしながら、このような従来の人命救助方法には、以下に説明する課題があった。
【０００４】
【発明が解決しようとする課題】
すなわち、倒壊した建築構造物には、鉄筋コンクリートなどの重量物が含まれていて、このような重量倒壊物は、人力による除去が困難なので、クレーン車などの大型作業車が必要になるが、地震などの場合には、大型作業車を救助現場の近傍まで導入する自体が難しい。
【０００５】
そこで、大型作業車の導入が困難な場合には、コンクリート倒壊物をブレーカーなど破砕したり、あるいは、コアボーリングマシンやエンジンカッターなどで、倒壊物を切断して、人命救助の通路空間を確保していた。
【０００６】
ところが、このような救助方法では、時間が掛かり過ぎ、できるだけ早く救助することができる方法が希求されていた。
【０００７】
本発明は、このような従来の問題点に鑑みてなされたものであって、その目的とするところは、短時間で救命用の通路空間を確保することができる建築構造物の倒壊現場での人命救助方法を提供することにある。
【０００８】
【課題を解決するための手段】
上記目的を達成するために、本発明は、大規模地震時などで鉄筋コンクリート製などの建築構造物が倒壊した際に、人が倒壊物中に取り残されたり、あるいは、倒壊物の下敷きになったときの人命救助方法において、前記倒壊物の隙間に、扁平な板状拡張体を挿入し、前記拡張体内に水など流動体を注入して、前記拡張体の厚みを膨張拡大させて、前記倒壊物の隙間を拡大させるようにした。
【０００９】
このように構成した建築構造物の倒壊現場での人命救助方法によれば、扁平な板状拡張体を倒壊物の隙間に挿入して、拡張体内に液体など流動体を注入して、拡張体の厚みを膨張拡大させて、倒壊物の隙間を拡大させて、救命用の通路空間とする。
【００１０】
この場合、建築構造物の倒壊現場では、コンクリートなどの倒壊物中に、必ず僅かな隙間があるので、その隙間に扁平な板状拡張体を挿入することができる。
【００１１】
このような板状拡張体は、扁平なもので、比較的軽量であって、簡単に運搬することができるとともに、これを膨張拡大させる流動体には、水を使用できるので、水道が使用できれば、水道水を注入すればよく、短時間に救命用の通路空間を確保することが可能になる。
【００１２】
前記板状拡張体は、２枚の同一形状の薄い鉄板を重ね合わせて、その周縁を相互に固設して、前記鉄板間に薄い空間を形成し、前記鉄板の端部に、前記空間に連通する流体注入口を設けることができる。
【００１３】
前記流動体は、可搬型のタンク内に収納された水であって、この水を前記タンクに敷設されたポンプを介して、前記板状拡張体に注入することができる。
【００１４】
【発明の実施の形態】
以下、本発明の好適な実施の形態について、添付図面に基づいて詳細に説明する。図１から図４は、本発明にかかる建築構造物の倒壊現場での人命救助方法の一実施例を示している。
【００１５】
これらの図に示した人命救助方法は、例えば、大規模地震が発生した際に、鉄筋コンクリート製の建築構造物が倒壊した際、人が倒壊物１０の中に取り残されたり、あるいは、人が倒壊物１０の下敷きになった場合に適用され、人命救助用の通路空間１２を確保することが基本構成になっている。
【００１６】
ビルなどの建築構造物が地震により倒壊すると、壁やスラブなどの比較的大きな板状のものと、これらが細かく砕かれたブロック状のものが、ランダムに交錯して、無秩序に積み重なった形態になることが多い。
【００１７】
人命救助方法では、まず、図１に示すように、倒壊物１０に通路空間１２を形成したい個所が選ばれ、次に、図２に示すように、通路空間１２を形成した個所の近傍に扁平な板状拡張体１４が設置される。
【００１８】
この板状拡張体１４の設置個所は、倒壊物１０の間に存在する隙間１６であり、コンクリート製の建築構造物が倒壊すると、この種の隙間１６は、必ず発生するので、通路空間１２の形成が必要な個所に近接した隙間１６を選択して、その中に板状拡張体１４を挿入する。
【００１９】
本実施例の場合、板状拡張体１４は、図３に示すように、２枚の同一形状の薄い鉄板１４ａから形成されている。板状拡張体１４は、２枚の薄い鉄板１４ａを重ね合わせて、その周縁を相互に溶接などにより固設して、鉄板１４ａ間に薄い内部空間１４ｂを形成し、鉄板１４ａの端部に、内部空間１４ｂ内に連通する流体注入口１４ｃが設けられている。
【００２０】
このような板状拡張体１４は、例えば、幅が６０ｃｍ程度で、長さが６０ｃｍ程度の正方形に形成され、全体の板厚みは、３．２ｍｍとして、薄い扁平な平板状に形成する。
【００２１】
このような板状拡張体１４が隙間１６に設置されると、板状拡張体１４に水Ｗを注入して、板状拡張体１４を膨張拡大させる。この際には、図３に示すように、板状拡張体１４の注入口１４ｃに、接続パイプ１８を介して、ポンプ２０と水Ｗが収容されたタンク２２が接続される。
【００２２】
タンク２２は、所定量の水Ｗが収容されている、可搬型のものであり、その側部にポンプ２０が付設されている。接続パイプ１８には、両端にコネクタ２４が固設されていて、このコネクタ２４は、ポンプ２０と注入口１４ｃとワンタッチ接続可能になっている。
【００２３】
接続パイプ１８を介して、ポンプ２０と注入口１４ｃとが接続されると、ポンプ２０を介して、水Ｗが板状拡張体１４の内部空間１４ｂに注入充填される。水Ｗが内部空間１４ｂ内に注入充填されると、板状拡張体１４は、その注入充填圧を受けて、拡大膨張する。
【００２４】
この場合の拡大膨張力は、非常に大きく、例えば、６０ｃｍ×６０ｃｍの板拡張体１４に、圧力３０ｋｇ／ｃｍ２の圧力が加わるように、水Ｗを注入充填する（圧力３０ｋｇ／ｃｍ２の水Ｗを注入する）と、その圧力の約１０％が、板状拡張体１４を変形させる力に消費され、残りの９０％の力、すなわち、２７ｋｇ／ｃｍ２の圧力が拡張体１４を拡張する力に使われ、その結果、約１００ＴＯＮの力となって、この力で倒壊物１０を持ち上げるので、簡単に約５０ｃｍ程度持ち上げることができる。
【００２５】
なお、ポンプ２０は、例えば、バッテリー駆動の小型軽量のものでよく、これに替えて、手動式のポンプであっても良い。また、水Ｗの注入充填には、水道水が近傍にあれば、これを用いることもできる。
【００２６】
板状拡張体１４が拡大膨張されると、図４に示すように、その上部側の倒壊物１０がこれに伴って、上方に押し上げられ、押し上げられた倒壊物１０の下方に救命用の通路空間１２が形成され、通路空間１２が形成されると、この空間１２から人を救助することができる。
【００２７】
なお、図３に示した板状拡張体１４，接続パイプ１８，ポンプ２０付きタンク２２は、これらを１つのユニットとして、災害救助用の常備品として、所定の場所に準備しておくことが望まして。
【００２８】
さて、以上のように構成した建築構造物の倒壊現場での人命救助方法では、扁平な板状拡張体１４を倒壊物１０の隙間に挿入して、拡張体１４内に水Ｗを注入して、拡張体１４の厚みを膨張拡大させて、倒壊物１０の隙間１６を拡大させて、救命用の通路空間１２とする。
【００２９】
この場合、建築構造物の倒壊現場では、コンクリートなどの倒壊物１０中に、必ず僅かな隙間１６があるので、その隙間１６に扁平な板状拡張体１４を挿入することができる。
【００３０】
このような板状拡張体１４は、扁平なもので、簡単に運搬することができるとともに、これを膨張拡大させる流動体には、水を使用できるので、水道が使用できれば、水道水を注入すればよく、短時間に救命用の通路空間１２を確保することが可能になる。
【００３１】
なお、上記実施例では、板状拡張体１４内に注入充填する流動体として、水Ｗを例示したが、流動体は、水Ｗに限る必要はなく、水以外の液体や、オイルなどを用いることもできる。
【００３２】
【発明の効果】
以上、詳細に説明したように、本発明にかかる建築構造物の倒壊現場での人命救助方法によれば、短時間に救命用の通路空間を確保することができる。
【図面の簡単な説明】
【図１】本発明にかかる人命救助方法が適用される倒壊現場の概略説明図である。
【図２】図１に示した現場に板状拡張体を設置した状態の説明図である。
【図３】図１に示した板状拡張体に水Ｗを注入充填する際の説明図である。
【図４】図２に示した板状拡張体を膨張拡大させた際の説明図である。
【符号の説明】
１０        倒壊物
１２        通路空間
１４        板状拡張体
１４ａ      鉄板
１４ｂ      内部空間
１４ｃ      注入口
１６        隙間
１８        接続パイプ
２０        ポンプ
２２        タンク
【図１】
2004329421.tif 000003
【図２】
2004329421.tif 000004
【図３】
2004329421.tif 000005
【図４】
2004329421.tif 000006